(57)【要約】【課題】クリップボードのクリップ部が支障を来す場合が多く、よってクリップ部が突出することなく、利便性や収納性を向上することを計る。【解決手段】クリップボードの上方背面に板バネを設け、上方前面に用紙差し込み溝を設けたクリップボード、若しくはクリップボードの上方端部に用紙差し込み溝の形成を可能とした板バネクリップを備えたクリップボードであって、該クリップボードの上方を背面側へ湾曲することで用紙差し込み溝を広げ、用紙を差し込み利用することで用紙とクリップボードが平面となることを可能とした。【選択図】図１
2018111254.tif 000002
【特許請求の範囲】
【請求項１】
ボート体の平面視上面の上方に９０度以内の傾斜角を有する用紙差し込み溝を設け、且つ該ボード体の上方背面に板状のバネ体を設けたクリップボードであって、
該ボード体上方を、背面側へ湾曲させることで用紙差し込み溝を開口させ、該用紙差し込み溝へ用紙を差し込み利用することにより、用紙とボード体とが平面（平坦）となることを特徴とするクリップボード。
【請求項２】
ボート体の上方端部と、
ボート体の上方端部に備えられた板バネクリップとによるクリップボードであって、
該板バネクリップを背面側へ湾曲させることで用紙を挟持する請求項１のクリップボード。
【請求項３】
ボード体の上方端部と
ボート体上方背面に備えられたスライドレールを利用して摺動するスライドクリップとによるクリップボードであって、
該スライドクリップを摺動させることで用紙を挟持し利用する請求項１のクリップボード。
【発明の詳細な説明】
【技術分野】
【０００１】
本発明は、用紙を挟んで筆記に供するクリップボード（画板似）に関する。
【背景技術】
【０００２】
通常のクリップボードの形態は、ボードの上部に用紙を挟むためのクリップを設けたものである。大きさは例えばＡ４、Ｂ４等一般的な用紙に適合させたものであり、クリップも縦型、横型に応じて取り付けられている。
また特殊なものとして特許文献１によると、挟持する用紙の枚数（厚さ）により、クリップ上面側もスライド移動することでクリップの挟持面が密着し、収納時もクリップが影響しにくい形状となっている。特許文献２によると、クリップボードに１枚の用紙を挟んだ状態において、更にもう１枚を重ねて追加する場合、最初の１枚がずれ易いため、それを防止する方法として最初の１枚がそれ以上奥へ入らないように突起部を設けた形態が開示されている。
【先行技術文献】
【特許文献】
【０００３】
【特許文献１】特開２００４−２８４３３２号公報
【特許文献２】特開２０１０−１３７４７９号公報
【発明の概要】
【発明が解決しようとする課題】
【０００４】
本発明によるクリップボードは、前記特許文献とは異なるものであり、１枚の用紙のみを挟み筆記するのが目的であり、課題としては、クリップとしての突起部をなくすことにある。
【課題を解決するための手段】
【０００５】
構造を簡単に説明すると、クリップのない１枚の稍厚い（例えば厚さ７ミリメートル）の可撓性ボード板であって、該ボード板の上方、つまりクリップを備えるべく場所に横へ線状となる切れ目を入れて、下面側から加圧し湾曲させることで、切れ目が開き、そこへ用紙を挟み入れ、ボード板を元に戻すことで用紙が固定される。
【発明の効果】
【０００６】
このクリップの突起をなくす目的（必然性）は、定規がクリップに当たらないため、扱い易いといえる。特に図を書く場合には重要である。また用紙の上方面積の多くを挟まないため、最上部への記載が容易である。更にこの形状は収納に非常に有利であり、持ち運びにも適している。
【図面の簡単な説明】
【０００７】
【図１】本願発明によるクリップボードのボード一体型または背面板バネ型による平面図
【図２】背面板バネ型による背面図
【図３】ボード一体型による中央断面拡大図
【図４】背面板バネ型の平坦時による中央断面拡大図
【図５】背面板バネ型の湾曲時による中央断面拡大図
【図６】板バネクリップ型による平面図
【図７】板バネクリップ型による背面図
【図８】板バネクリップ型平坦時による中央断面拡大図
【図９】板バネクリップ型湾曲時による中央断面拡大図
【図１０】スライドクリップ型による平面図
【図１１】スライドクリップ型による背面図
【図１２】スライドクリップ型による通常時による中央断面拡大図
【図１３】スライドクリップ型による用紙挿入時による中央断面拡大図
【図１４】均等間隙溝形状
【図１５】傾斜上方密着溝形状
【発明を実施するための形態】
【０００８】
ボード一体型として図１及び図３を参照し説明すると、１枚の稍厚目のボード板、例えば厚さ７ミリメートルの硬質ゴム板を利用し、用紙を挟み込むための切れ込みを用紙差し込み溝（２）として設ける。図３は断面図であるが用紙を差し込む際に図５の様に用紙差し込み溝（２）の延長においてボード体が折れやすい状況であり、よって補強板（３）を備えることが好ましい。これは布であっても、皮革であっても、薄くて強度もあり、可撓性であれば、素材において限定されるものではない。以下のようにボード一体型としてのクリップボードは損傷のリスクが高いことと、厚さが厚いため筆記中に手の位置がクリップボードから外れた場合書きにくい状況である。
【０００９】
そこで厚さの薄いクリップボードとして、背面板バネ型として説明する。これは図２により背面の上部のみに板バネ（４）を設ける。図４、５から判るように指で持って湾曲させ用紙差し込み溝（２）へ用紙を差し込む。この断面図にはボード体（１ａ）に板バネ（４）が組み込まれて図示されているが、板バネ（４）の厚さは非常に薄く、貼付する形状であっても、段差ができ利用時に支障を来すものではなく、またコストにおいても有利と考えられる。ボード体（１ａ）の素材は特に限定されるものではない。
【００１０】
図１、２によるボード体クリップ部（１ｂ）は図示による形状すべてが必要なものではなく、用紙を挟むことができればよく、図６による１ｂ（５）の形状とすることができる。図８、９では板バネクリップ（５）の突起部とボード体（１ａ）の端部により用紙を挟持することとなる。ここで頻繁に利用する際、板バネクリップ（５）接着面（６ａ）の端部（６ｂに相当）が剥離しやすくなる。そこで該端部をビス（６ｂ）にて結合することで損傷を防ぐことができる。またこの板バネクリップ（５）は前記同様、ボード体（１ａ）に組み込むことなく、背面に貼付するのみであってよい。
【００１１】
次に図１０〜１３を元に説明すると、この形態はボード体を湾曲させるものではなく、スライドクリップ（７ａ）を摺動することで用紙を挟持する方法である。従って図１２によるボード体（１ａ）とスライドクリップ（７ａ）とが密着した場合、用紙を挟持するための付勢手段を備えることが好ましい。スライドクリップ（７ａ）はボード体（１ａ）の背面に設けられたスライドレール（７ｃ）により摺動し、爪掛け部（７ｂ）を利用し開閉される。
【００１２】
ここで用紙の挟持状態について考察すると、まず用紙差し込み溝（２）の幅がない場合、つまり図３の（２）の幅がない形状では用紙は奥まで正確に差し込むことができない。しかしこの場合は用紙が十分圧着され筆記時に用紙がずれにくい状況である。これに対し、図１４のように用紙差し込み溝（２）の幅がある場合は用紙が奥まで入り込みやすいものの、筆記時に用紙はずれやすく、外れてしまうことも考えられる。そこで用紙差し込み溝（２）の形状を図１５の様に傾斜上方密着溝形状とすることで、用紙は奥まで入りやすく、ずれにくい構造とすることができる。
【００１３】
次に用紙差し込み溝（２）の角度においては０度から９０度の間にて設けられるものであるが角度が小さい（０度に近い）程用紙は不安定となり外れやすいものである。逆に角度が大きい（９０度に近い）程用紙は安定し外れにくいものである。しかし角度が大きい状態で用紙を挟持すると、用紙差し込み溝（２）の直近において用紙が盛り上がり筆記時に支障を来してしまう。これに対し筆記時に手で押さえることで解消できることも考えられるが、確実な方法としては、用紙差し込み溝（２）に沿って用紙を強く押さえることで、用紙に少しの折り目がつくものの、用紙とボード体（１ａ）とが略密着することとなる。
【００１４】
これらを鑑みて図１２、１３によりスライドクリップ（７ａ）の曲面形状は用紙が盛り上がることへの防止効果を有するものである。またスライドクリップ（７ａ）がボード体（１ａ）の上面へも覆う形状であれば用紙の盛り上がりを防ぐことはできるものの、本発明の必須要件でもある定規を使う場合と収納性において劣るものであり、他に防止方法もあることから必然性を欠くものである。
【符号の説明】
【００１５】
１ａ  ボード体
１ｂ  ボード体クリップ
２    用紙差し込み溝
３    補強板
４    板バネ
５    板バネクリップ
６ａ  接着面
６ｂ  ビス
７ａ  スライドクリップ
７ｂ  スライドクリップ爪掛け部
７ｃ  スライドレール
【図１】
2018111254.tif 000003
【図２】
2018111254.tif 000004
【図３】
2018111254.tif 000005
【図４】
2018111254.tif 000006
【図５】
2018111254.tif 000007
【図６】
2018111254.tif 000008
【図７】
2018111254.tif 000009
【図８】
2018111254.tif 000010
【図９】
2018111254.tif 000011
【図１０】
2018111254.tif 000012
【図１１】
2018111254.tif 000013
【図１２】
2018111254.tif 000014
【図１３】
2018111254.tif 000015
【図１４】
2018111254.tif 000016
【図１５】
2018111254.tif 000017
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
ボート体の平面視上面の上方に９０度以内の傾斜角を有する用紙差し込み溝を設け、且つ該ボード体の上方背面に板状のバネ体を設けたクリップボードであって、
該ボード体上方を、背面側へ湾曲させることで用紙差し込み溝を開口させ、該用紙差し込み溝へ用紙を差し込み利用することにより、用紙とボード体とが平面（平坦）となることを特徴とするクリップボード。
【請求項２】
ボート体の平面視上方端部を９０度以内の傾斜角とするボード体と、
該ボート体上方端部に密着する、突起部を有する板バネクリップと、によるクリップボードであって、
該板バネクリップを、背面へ湾曲させることで用紙差し込み溝を開口させ、該ボード体上方端部と、板バネクリップの突起部と、により、用紙を挟持することを特徴とするクリップボード。
【請求項３】
ボード体の平面視上方端部を曲面形状とするボード体と、該ボード体の上方端部と密着するスライドクリップとによるクリップボードであって、
該スライドクリップが該ボード体上方背面に備えられたスライドレールを利用して摺動することで、該ボード体上方端部と、該スライドクリップと、により、用紙を挟持することを特徴とするクリップボード。